(57)【要約】  エレベータのかごにおいて、かご枠は、かご室を支持する左右一対のかご床支持枠（２４ａ，２４ｂ）を有している。各かご床支持枠は、非常止め梁（２３ａ，２３ｂ）の上部に固定されており、かつかご室の前後方向に沿って配置されている第１の支持枠側梁（２６）と、非常止め梁の下部に固定されており、かつ第１の支持枠側梁の真下に第１の支持枠側梁に平行に配置されている第２の支持枠側梁（２７）と、非常止め梁に対してかご室の前後方向の両側で第１の支持枠側梁と第２の支持枠側梁とに連結されている複数の補強部材（２８ａ，２８ｂ，２８ｃ，２８ｄ）とを有している。
2015045097.tif 000002
【特許請求の範囲】
【請求項１】
かご室、及び
前記かご室の左右に配置されている一対の縦柱と、前記かご室の下部で前記縦柱間に連結されている非常止め梁と、前記かご室の幅方向両端部の下部に設けられ、前記かご室を支持する左右一対のかご床支持枠とを有するかご枠
を備え、
各前記かご床支持枠は、
前記非常止め梁の上部に固定されており、かつ前記かご室の前後方向に沿って配置されている第１の支持枠側梁と、
前記非常止め梁の下部に固定されており、かつ前記第１の支持枠側梁の真下に前記第１の支持枠側梁に平行に配置されている第２の支持枠側梁と、
前記非常止め梁に対して前記かご室の前後方向の両側で前記第１の支持枠側梁と前記第２の支持枠側梁とに連結されている複数の補強部材と
を有しているエレベータのかご。
【請求項２】
前記第１の支持枠側梁の断面形状に対して、前記第２の支持枠側梁の断面形状が点対称である請求項１記載のエレベータのかご。
【請求項３】
前記第１及び第２の支持枠側梁は、前記非常止め梁に固定された平板状の水平部と、前記水平部の幅方向両端部から上下方向のいずれか一方へ突出し互いに対向する第１及び第２の対向部とをそれぞれ有しており、
前記第１の対向部の上下方向寸法は、前記第２の対向部の上下方向寸法よりも大きくなっており、
前記第１の支持枠側梁と前記第２の支持枠側梁とが上下逆向きに配置されている請求項２記載のエレベータのかご。
【請求項４】
前記かご室は、複数の防振部材を介して、前記かご床支持枠上に支持されており、
前記補強部材は、前記かご室の前後方向の前記かご床支持枠の両端部近傍又は前記防振部材の近傍に配置されている請求項１から請求項３までのいずれか１項に記載のエレベータのかご。
【請求項５】
前記補強部材は、
前記非常止め梁に対して前記かご室の前後方向の前側で、前記第１及び第２の支持枠側梁の幅方向両側に配置されている第１及び第２の補強部材と、
前記非常止め梁に対して前記かご室の前後方向の後ろ側で、前記第１及び第２の支持枠側梁の幅方向両側に配置されている第３及び第４の補強部材と
を含む請求項１から請求項４までのいずれか１項に記載のエレベータのかご。
【請求項６】
前記補強部材としてジャッキボルトが用いられており、
前記第１の支持枠側梁と前記第２の支持枠側梁との間隔が調整可能となっている請求項１から請求項４までのいずれか１項に記載のエレベータのかご。
【請求項７】
各前記かご床支持枠では、前記第１の支持枠側梁と前記第２の支持枠側梁とが１枚の板を折り曲げ加工して形成されている請求項１から請求項５までのいずれか１項に記載のエレベータのかご。
【発明の詳細な説明】
【技術分野】
【０００１】
この発明は、かご室と、かご室を支持するかご枠とを有するエレベータのかごに関し、特にかご枠の構造に関するものである。
【背景技術】
【０００２】
従来のエレベータのかご枠は、左右一対の縦柱と、縦柱の上端部間に連結された上梁と、縦柱の下端部が固定された下枠とを有している。下枠は、左右一対の側枠と、側枠間に連結された前後一対の繋ぎ梁とを有している。各側枠は、アングル枠部材と、アングル枠部材の中間部から下方へ突出した一対の連結ブラケットと、連結ブラケットの下端部とアングル枠部材との間に斜めに溶接固定された一対の補強部材とを有している。縦柱の下端部は、連結ブラケットに固定されている（例えば、特許文献１参照）。
【先行技術文献】
【特許文献】
【０００３】
【特許文献１】特開昭６０−２４４７８７号公報
【発明の概要】
【発明が解決しようとする課題】
【０００４】
上記のような従来のエレベータのかご枠では、側枠単体での捻れに対する対策がなされていないため、左右の側枠の前後を繋ぎ梁で連結する必要があり、質量が大きい。【０００５】
この発明は、上記のような課題を解決するためになされたものであり、かご枠の軽量化を図ることができるエレベータのかごを得ることを目的とする。
【課題を解決するための手段】
【０００６】
この発明に係るエレベータのかごは、かご室、及びかご室の左右に配置されている一対の縦柱と、かご室の下部で縦柱間に連結されている非常止め梁と、かご室の幅方向両端部の下部に設けられ、かご室を支持する左右一対のかご床支持枠とを有するかご枠を備え、各かご床支持枠は、非常止め梁の上部に固定されており、かつかご室の前後方向に沿って配置されている第１の支持枠側梁と、非常止め梁の下部に固定されており、かつ第１の支持枠側梁の真下に第１の支持枠側梁に平行に配置されている第２の支持枠側梁と、非常止め梁に対してかご室の前後方向の両側で第１の支持枠側梁と第２の支持枠側梁とに連結されている複数の補強部材とを有している。
【発明の効果】
【０００７】
この発明のエレベータのかごは、各かご床支持枠が、非常止め梁の上部に固定された第１の支持枠側梁と、非常止め梁の下部に固定された第２の支持枠側梁と、非常止め梁に対してかご室の前後方向の両側で第１の支持枠側梁と第２の支持枠側梁とに連結されている複数の補強部材とを有しているので、かご床支持枠の曲げ剛性及び捻り剛性を向上させ、繋ぎ梁を省略することができ、これによりかご枠の軽量化を図ることができる。
【図面の簡単な説明】
【０００８】
【図１】この発明の実施の形態１によるエレベータを示す側面図である。
【図２】図１のかご枠を示す斜視図である。
【図３】図２のかご床支持枠の断面図である。
【図４】実施の形態１の第１及び第２の支持枠側梁の断面と断面コ字形の梁とを比較して示す説明図である。
【図５】この発明の実施の形態２によるエレベータのかご枠の要部を示す斜視図である。
【図６】図５のかご床支持枠の断面図である。
【図７】この発明の実施の形態３によるかご床支持枠の断面図である。
【図８】この発明の実施の形態４によるエレベータのかご枠の要部を示す斜視図である。
【図９】図８の第１及び第２の支持枠側梁を構成する金属板を展開して示す平面図である。
【図１０】図９の金属板を折り曲げ加工した状態を示す斜視図である。
【図１１】図１０のＸＩ−ＸＩ線に沿う断面図である。
【図１２】この発明の実施の形態５によるエレベータのかご枠の要部を示す斜視図である。
【図１３】図１２の第１及び第２の支持枠側梁の端部を示す斜視図である。
【図１４】図１３のＸＩＶ−ＸＩＶ線に沿う断面図である。
【発明を実施するための形態】
【０００９】
以下、この発明を実施するための形態について、図面を参照して説明する。
実施の形態１．
図１はこの発明の実施の形態１によるエレベータを示す側面図である。図において、昇降路１の上部には、機械室２が設けられている。機械室２内には、機械台３が設置されている。機械台３上には、巻上機４が支持されている。巻上機４は、駆動シーブ５及び巻上機本体６を有している。巻上機本体６は、駆動シーブ５を回転させる巻上機モータと、駆動シーブ５の回転を制動する巻上機ブレーキとを有している。
【００１０】
機械台３には、そらせ車７が取り付けられている。駆動シーブ５及びそらせ車７には、懸架体８が巻き掛けられている。懸架体８としては、例えば、複数本のロープ又は複数本のベルトが用いられている。
【００１１】
懸架体８の第１の端部には、かご９が接続されている。懸架体８の第２の端部には、釣合おもり１０が接続されている。かご９及び釣合おもり１０は、懸架体８により昇降路１内に吊り下げられており、巻上機４により昇降される。
【００１２】
昇降路１内には、かご９の昇降を案内する一対のかごガイドレール１１と、釣合おもり１０の昇降を案内する一対の釣合おもりガイドレール１２とが設置されている。
【００１３】
かご９は、懸架体８が接続されたかご枠１３と、かご枠１３に支持されているかご室１４とを有している。
【００１４】
図２は図１のかご枠１３を示す斜視図であり、かご室１４は破線で示している。かご枠１３は、かご室１４の左右に配置されている一対の鉛直な縦柱２１ａ，２１ｂと、縦柱２１ａ，２１ｂの上端部間に連結されている一対の上梁２２ａ，２２ｂと、かご室１４の下部で縦柱２１ａ，２１ｂ間に連結されている一対の非常止め梁２３ａ，２３ｂと、かご室１４の幅方向両端部の下部に設けられ、かご室１４を支持する左右一対のかご床支持枠２４ａ，２４ｂとを有している。
【００１５】
上梁２２ａ，２２ｂは、かご室１４の上方で、かご９の幅方向（図２のＸ軸方向）に平行、かつ水平に配置されている。非常止め梁２３ａ，２３ｂも、かご９の幅方向に平行、かつ水平に配置されている。非常止め梁２３ａ，２３ｂには、かごガイドレール１１に係合してかご９を非常停止させる非常止め装置（図示せず）が支持されている。
【００１６】
上梁２２ａ，２２ｂは、複数の締結具（例えばボルト及びナット）により、縦柱２１ａ，２１ｂのＺ軸に垂直な面に連結され固定されている。非常止め梁２３ａ，２３ｂも、縦柱２１ａ，２１ｂのＺ軸に垂直な面に連結され固定されている。
【００１７】
かご室１４は、複数の防振部材２５を介して、かご床支持枠２４ａ，２４ｂ上に支持されている。防振部材２５は、かご室１４の四隅の下部に配置されている。
【００１８】
各かご床支持枠２４ａ，２４ｂは、第１の支持枠側梁２６と、第２の支持枠側梁２７と、第１ないし第４の補強部材２８ａ〜２８ｄとを有している。
【００１９】
第１の支持枠側梁２６は、複数の締結具（例えばボルト及びナット）により、非常止め梁２３ａ，２３ｂの上部に連結され固定されている。また、第１の支持枠側梁２６は、かご室１４の前後方向（図２のＺ軸方向）に沿って配置されている。
【００２０】
第２の支持枠側梁２７は、複数の締結具（例えばボルト及びナット）により、非常止め梁２３ａ，２３ｂの下部に連結され固定されている。また、第２の支持枠側梁２７は、第１の支持枠側梁２６の真下に第１の支持枠側梁２６に平行に配置されている。
【００２１】
補強部材２８ａ〜２８ｄは、非常止め梁２３ａ，２３ｂに対してかご室１４の前後方向の両側で第１の支持枠側梁２６と第２の支持枠側梁２７とに連結されている。この例では、補強部材２８ａ〜２８ｄは、かご室１４の前後方向の両端部近傍、即ち防振部材２５の近傍に配置されている。言い換えると、かご室１４の前後方向の補強部材２８ａ〜２８ｄの取付位置は、同方向の防振部材２５の設置位置と同じ位置（ほぼ同じ位置も含む）である。
【００２２】
第１及び第２の補強部材２８ａ，２８ｂは、非常止め梁２３ａ，２３ｂに対してかご室１４の前後方向の前側で、第１及び第２の支持枠側梁２６，２７の幅方向両側に配置されている。第３及び第４の補強部材２８ｃ，２８ｄは、非常止め梁２３ａ，２３ｂに対してかご室１４の前後方向の後ろ側で、第１及び第２の支持枠側梁２６，２７の幅方向両側に配置されている。
【００２３】
各補強部材２８ａ〜２８ｄの上端部は、複数の締結具（例えばボルト及びナット）又は溶接により、第１の支持枠側梁２６に連結され固定されている。各補強部材２８ａ〜２８ｄの下端部は、複数の締結具（例えばボルト及びナット）又は溶接により、第２の支持枠側梁２７に連結され固定されている。
【００２４】
図３は図２のかご床支持枠２４ａの断面図であり、図２のＸＹ平面に平行な断面を示している。第１及び第２の支持枠側梁２６，２７の断面形状は、互いに同じである。具体的には、第１及び第２の支持枠側梁２６，２７は、非常止め梁２３ａ，２３ｂに固定された平板状の水平部２９と、水平部２９の幅方向両端部から上下方向のいずれか一方へ突出し互いに対向する第１及び第２の対向部３０，３１とをそれぞれ有している。
【００２５】
第１の支持枠側梁２６では、対向部３０，３１が水平部２９に対して直角に上方へ突出している。第２の支持枠側梁２７では、対向部３０，３１が水平部２９に対して直角に下方へ突出している。補強部材２８ａ〜２８ｄは、対向部３０，３１の外面に接合され固定されている。
【００２６】
第１の対向部３０の上下方向寸法は、第２の対向部３１の上下方向寸法よりも大きい。第１の支持枠側梁２６と第２の支持枠側梁２７とは、非常止め梁２３ａ，２３ｂを挟んで、上下逆向きに配置されている。これにより、第１の支持枠側梁２６では、第１の対向部３０が第２の対向部３１よりもかご室１４の幅方向の外側に配置されており、第２の支持枠側梁２７では、第２の対向部３１が第１の対向部３０よりもかご室１４の幅方向の外側に配置されている。
【００２７】
また、第１の支持枠側梁２６の断面形状に対して、第２の支持枠側梁２７の断面形状が点対称である。かご床支持枠２４ａ，２４ｂは、かご９を正面から見て、かご９の幅方向の中心に対して線対称に配置されている。
【００２８】
このようなエレベータのかご９では、非常止め梁２３ａ，２３ｂの上下に第１及び第２の支持枠側梁２６，２７を固定し、これらの支持枠側梁２６，２７間に補強部材２８ａ〜２８ｄを連結したので、かご床支持枠２４ａ，２４ｂの曲げ剛性及び捻り剛性を向上させ、繋ぎ梁を省略することができ、これによりかご枠１３の軽量化を図ることができる。
【００２９】
ここで、曲げ変形に対する抵抗を意味する曲げ剛性ＥＩは、材料のヤング率Ｅと断面二次モーメントＩとによって決まり、大きいほど剛である。また、断面二次モーメントＩは、曲げる対象の形状により定まり、中立軸（通常は図心）から離れた位置に大きな体積があるほど急激に大きくなる。
【００３０】
図４は実施の形態１の第１及び第２の支持枠側梁２６，２７の断面と断面コ字形の梁とを比較して示す説明図である。実施の形態１のかご床支持枠２４ａ，２４ｂでは、中立軸Ｃの近くに部材が配置されておらず、第１及び第２の支持枠側梁２６，２７の中立軸Ｃからの距離が、断面コ字形の梁に比べて大きくなっている。このため、断面二次モーメントを大きくして、荷重Ｐに対する曲げ剛性を向上させることができ、断面を薄肉化することもできる。
【００３１】
一方、捻り変形に対する抵抗を意味する捻り剛性は、一般的に「閉断面の梁≫開断面の梁」であり、パイプのような閉断面の部材は捻り剛性が高い。実施の形態１のかご床支持枠２４ａ，２４ｂでは、第１及び第２の支持枠側梁２６，２７間を補強部材２８ａ〜２８で連結することにより、部分的に閉断面化されているため、捻れにくい構造となっている。
【００３２】
また、通常断面Ｌ字形の部材は捻り中心がＬ字の外側にあり、捻り中心と荷重作用点との距離が離れているため、大きな捻りが生じてしまう。これに対して、実施の形態１のかご床支持枠２４ａ，２４ｂでは、第１及び第２の支持枠側梁２６，２７の断面が点対称となるように構成しているため、荷重作用点と捻り中心との距離が近く、捻りが生じにくい。
【００３３】
さらに、実施の形態１では、かご床支持枠２４ａ，２４ｂの上下方向寸法が大きくなるが、かご床支持枠２４ａ，２４ｂはかご９の幅方向両端下部に配置されており、昇降路ピットに設置されたかご緩衝器等の機器と干渉することはないため、昇降路ピットの深さ寸法を大きくする必要はない。
【００３４】
実施の形態２．
次に、図５はこの発明の実施の形態２によるエレベータのかご枠の要部を示す斜視図である。実施の形態２のかご枠は、実施の形態１と同様の縦柱２１ａ，２１ｂ、上梁２２ａ，２２ｂ、及び非常止め梁２３ａ，２３ｂと、左右一対のかご床支持枠３２ａ，３２ｂとを有している。
【００３５】
各かご床支持枠３２ａ，３２ｂは、実施の形態１と同様の第１及び第２の支持枠側梁２６，２７と、補強部材としての第１及び第２のジャッキボルト３３ａ，３３ｂとを有している。ジャッキボルト３３ａ，３３ｂは、非常止め梁２３ａ，２３ｂに対してかご室１４の前後方向の両側で第１の支持枠側梁２６と第２の支持枠側梁２７とに連結されている。この例では、ジャッキボルト３３ａ，３３ｂは、かご室１４の前後方向の両端部近傍、又は防振部材２５の近傍に配置されている。言い換えると、かご室１４の前後方向のジャッキボルト３３ａ，３３ｂの取付位置は、同方向の防振部材２５の設置位置と同じ位置（ほぼ同じ位置も含む）である。
【００３６】
図６は図５のかご床支持枠３２ａの断面図であり、図５のＸＹ平面に平行な断面を示している。ジャッキボルト３３ａ，３３ｂには、第１の支持枠側梁２６の水平部２９を支持する支持板３４がそれぞれ螺着されている。ジャッキボルト３３ａ，３３ｂへの支持板３４の螺着位置を調整することにより、第１の支持枠側梁２６と第２の支持枠側梁２７との間隔が調整可能になっている。他の構成は、実施の形態１と同様である。
【００３７】
このようなエレベータのかごでは、第１の支持枠側梁２６と第２の支持枠側梁２７との間隔が調整可能になっているので、縦柱２１ａ，２１ｂとかご床支持枠３２ａ，３２ｂとの間に斜め部材を設けなくても、かご床を水平にするための調整を容易に実施することができる。
【００３８】
実施の形態３．
次に、図７はこの発明の実施の形態３によるかご床支持枠の断面図である。この例では、実施の形態２の第１のジャッキボルト３３ａの代わりに、一対の第１のジャッキボルト３５ａ，３５ｂが用いられている。また、実施の形態２のジャッキボルト３５ｂの代わりに、一対の第２のジャッキボルト（図示せず）が用いられている。
【００３９】
第１のジャッキボルト３５ａ，３５ｂは、かご室１４の前側の端部近傍で、かご９の幅方向に互いに間隔をおいて配置されている。第２のジャッキボルトも、かご室１４の後ろ側の端部近傍で、かご９の幅方向に互いに間隔をおいて配置されている。
【００４０】
各第１のジャッキボルト３５ａ，３５ｂ及び各第２のジャッキボルトには、第２の支持枠側梁２７の上面に当接する第１のナット３６と、第１の支持枠側梁２６の下面に当接する第２のナット３７と、第１の支持枠側梁２６の上面に当接する第３のナット３８とが螺着されている。
【００４１】
第１のジャッキボルト３５ａ，３５ｂ及び第２のジャッキボルトへの第２及び第３のナット３７，３８の螺着位置を調整することにより、第１の支持枠側梁２６と第２の支持枠側梁２７との間隔が調整可能になっている。他の構成は、実施の形態２と同様である。
【００４２】
このような構成によっても、かご床を水平にするための調整を容易に実施することができる。また、実施の形態２の構成に比べて、かご床支持枠３２ａ，３２ｂの捻り剛性を高くすることができる。
【００４３】
実施の形態４．
次に、図８はこの発明の実施の形態４によるエレベータのかご枠の要部を示す斜視図である。実施の形態４では、第１及び第２の支持枠側梁２６，２７が、１枚の金属板を折り曲げ加工して構成されている。
【００４４】
図９は図８の第１及び第２の支持枠側梁２６，２７を構成する金属板を展開して示す平面図である。図９に示すような金属板を製作し、点線部分を直角に折り曲げ加工（谷折り）するとともに、１点鎖線部分を点線部分とは逆方向へ直角に折り曲げ加工（山折り）する。
【００４５】
これにより、かご室１４の前後方向の第１の支持枠側梁２６の両端部と第２の支持枠側梁２７との間には、図１０に示すように、鉛直な一対の接続部４１が形成される。また、各接続部４１の幅方向両端部には、一対の補強部４２ａ，４２ｂが形成される。さらに、第２の支持枠側梁２７は、非常止め梁２３ａ，２３ｂの前後に２分割されている。
【００４６】
図１１は図１０のＸＩ−ＸＩ線に沿う断面図である。補強部材２８ａ〜２８ｄは、第１及び第２の支持枠側梁２６，２７だけでなく、対応する補強部４２ａ，４２ｂにも固定される。他の構成は、実施の形態１と同様である。
【００４７】
このような構成によれば、かご床支持枠２４ａ，２４ｂの剛性をさらに高くすることができるとともに、かご床支持枠２４ａ，２４ｂの製造を容易にすることができる。
【００４８】
なお、剛性は若干低下するが、実施の形態４の補強部４２ａ，４２ｂは省略してもよい。また、補強部４２ａ，４２ｂのいずれか一方のみを省略してもよい。
【００４９】
実施の形態５．
次に、図１２はこの発明の実施の形態５によるエレベータのかご枠の要部を示す斜視図、図１３は図１２の第１及び第２の支持枠側梁２６，２７の端部を示す斜視図、図１４は図１３のＸＩＶ−ＸＩＶ線に沿う断面図である。この例では、補強部４２ａ，４２ｂの上端部が第１の支持枠側梁２６に溶接されており、補強部４２ａ，４２ｂの下端部が第２の支持枠側梁２７に溶接されている。
【００５０】
即ち、実施の形態５の補強部材は、補強部４２ａ，４２ｂである。これにより、補強部材２８ａ〜２８ｄは省略されている。他の構成は、実施の形態４と同様である。
【００５１】
このような構成によれば、部品点数を削減し、かご床支持枠２４ａ，２４ｂをさらに軽量化することができる。
【００５２】
なお、この発明のかごが適用されるエレベータ装置のタイプは、図１のタイプに限定されるものではない。例えば、機械室レスエレベータ、マルチカー方式のエレベータ、又はダブルデッキエレベータ等にも、この発明は適用できる。
【図１】
2015045097.tif 000003
【図２】
2015045097.tif 000004
【図３】
2015045097.tif 000005
【図４】
2015045097.tif 000006
【図５】
2015045097.tif 000007
【図６】
2015045097.tif 000008
【図７】
2015045097.tif 000009
【図８】
2015045097.tif 000010
【図９】
2015045097.tif 000011
【図１０】
2015045097.tif 000012
【図１１】
2015045097.tif 000013
【図１２】
2015045097.tif 000014
【図１３】
2015045097.tif 000015
【図１４】
2015045097.tif 000016
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
かご室、及び
前記かご室の左右に配置されている一対の縦柱と、前記かご室の下部で前記縦柱間に連結されている非常止め梁と、前記かご室の幅方向両端部の下部に設けられ、前記かご室を支持する左右一対のかご床支持枠とを有するかご枠
を備え、
各前記かご床支持枠は、
前記非常止め梁の上部に固定されており、かつ前記かご室の前後方向に沿って配置されている第１の支持枠側梁と、
前記非常止め梁の下部に固定されており、かつ前記第１の支持枠側梁の真下に前記第１の支持枠側梁に平行に配置されている第２の支持枠側梁と、
前記非常止め梁に対して前記かご室の前後方向の両側で前記第１の支持枠側梁と前記第２の支持枠側梁とに連結されている複数の補強部材と
を有しており、
前記第１の支持枠側梁の断面形状に対して、前記第２の支持枠側梁の断面形状が点対称であるエレベータのかご。
【請求項２】
かご室、及び
前記かご室の左右に配置されている一対の縦柱と、前記かご室の下部で前記縦柱間に連結されている非常止め梁と、前記かご室の幅方向両端部の下部に設けられ、前記かご室を支持する左右一対のかご床支持枠とを有するかご枠
を備え、
各前記かご床支持枠は、
前記非常止め梁の上部に固定されており、かつ前記かご室の前後方向に沿って配置されている第１の支持枠側梁と、
前記非常止め梁の下部に固定されており、かつ前記第１の支持枠側梁の真下に前記第１の支持枠側梁に平行に配置されている第２の支持枠側梁と、
前記非常止め梁に対して前記かご室の前後方向の両側で前記第１の支持枠側梁と前記第２の支持枠側梁とに連結されている複数の補強部材と
を有しており、
前記第１及び第２の支持枠側梁は、前記非常止め梁に固定された平板状の水平部と、前記水平部の幅方向両端部から上下方向のいずれか一方へ突出し互いに対向する第１及び第２の対向部とをそれぞれ有しており、
前記第１の対向部の上下方向寸法は、前記第２の対向部の上下方向寸法よりも大きくなっており、
前記第１の支持枠側梁と前記第２の支持枠側梁とが上下逆向きに配置されているエレベータのかご。
【請求項３】
前記かご室は、複数の防振部材を介して、前記かご床支持枠上に支持されており、
前記補強部材は、前記かご室の前後方向の前記かご床支持枠の両端部近傍又は前記防振部材の近傍に配置されている請求項１又は請求項２に記載のエレベータのかご。
【請求項４】
前記補強部材は、
前記非常止め梁に対して前記かご室の前後方向の前側で、前記第１及び第２の支持枠側梁の幅方向両側に配置されている第１及び第２の補強部材と、
前記非常止め梁に対して前記かご室の前後方向の後ろ側で、前記第１及び第２の支持枠側梁の幅方向両側に配置されている第３及び第４の補強部材と
を含む請求項１から請求項３までのいずれか１項に記載のエレベータのかご。
【請求項５】
かご室、及び
前記かご室の左右に配置されている一対の縦柱と、前記かご室の下部で前記縦柱間に連結されている非常止め梁と、前記かご室の幅方向両端部の下部に設けられ、前記かご室を支持する左右一対のかご床支持枠とを有するかご枠
を備え、
各前記かご床支持枠は、
前記非常止め梁の上部に固定されており、かつ前記かご室の前後方向に沿って配置されている第１の支持枠側梁と、
前記非常止め梁の下部に固定されており、かつ前記第１の支持枠側梁の真下に前記第１の支持枠側梁に平行に配置されている第２の支持枠側梁と、
前記非常止め梁に対して前記かご室の前後方向の両側で前記第１の支持枠側梁と前記第２の支持枠側梁とに連結されている複数の補強部材と
を有しており、
前記補強部材としてジャッキボルトが用いられており、
前記第１の支持枠側梁と前記第２の支持枠側梁との間隔が調整可能となっているエレベータのかご。
【請求項６】
各前記かご床支持枠では、前記第１の支持枠側梁と前記第２の支持枠側梁とが１枚の板を折り曲げ加工して形成されている請求項１から請求項４までのいずれか１項に記載のエレベータのかご。
【国際調査報告】
2015045097.tif 000017
2015045097.tif 000018
2015045097.tif 000019
2015045097.tif 000020